(57)【要約】【課題】本発明は、タイルが脱落することなく、確実に固定することができる固定金物を提供する。【解決手段】建築物の躯体壁面にタイルを固定するための固定金物であって、前記壁面に配置するレールに回動自在に係合する上部金物と、前記レールに掛止する下部金物と、からなり、前記下部金物は、前記タイルの背面に固定するタイル当接部と、前記タイル当接部の両側辺から立設する一対のレール掛合部と、を有し、前記レール掛合部は、前記レールの断面形状に合わせて切り欠いた掛合溝を有し、前記タイル当接部は、下辺から前記レール掛合部とは逆方向に突設した、前記タイルの下端を支持するパネル支持片を有することを特徴とする、固定金物。【選択図】図１
2019143348.tif 000002
【特許請求の範囲】
【請求項１】
建築物の躯体壁面にタイルを固定するための固定金物であって、
前記壁面に設置するレールに回動自在に係合する上部金物と、前記レールに掛合する下部金物と、からなり、
前記下部金物は、前記タイルの背面に当接するタイル当接部と、前記タイル当接部の両側辺から立設する一対のレール掛合部と、を有し、
前記レール掛合部は、前記レールの断面形状に合わせて切り欠いた掛合溝を有し、
前記タイル当接部は、前記レール掛合部とは逆方向に突設し、前記タイルと係合する爪を有することを特徴とする、固定金物。
【請求項２】
請求項１に記載の固定金物において、
前記下部金物の前記爪は、相互間が縮小する方向に傾斜して対向するように水平に設けた一対の爪であることを特徴とする、固定金物。
【請求項３】
請求項１又は請求項２に記載の固定金物において、
前記上部金物は、前記レールに係合するレール当接部を有し、
前記レール当接部は、前記タイルと係合する爪を有することを特徴とする、固定金物。
【請求項４】
請求項３に記載の固定金物において、
前記上部金物の前記爪は、相互間が縮小する方向に傾斜して対向するように水平に設けた一対の爪であることを特徴とする、固定金物。
【請求項５】
建物の躯体壁面に平行に設けたレールに固定金物を介してタイルを嵌合し、前記壁面の表面にタイルを固定する、壁構造であって、
前記固定金物は、前記タイルの上部背面に取り付ける上部金物と、前記タイルの下部背面に取り付ける下部金物と、からなり、
前記上部金物は、水平に設けた爪を、前記タイルの背面に水平に設けたスリットに貫入して前記タイルに取り付け、
前記上部金物は、前記レールに回動自在に係合し、
前記下部金物は、前記レールに掛合することを特徴とする、壁構造。
【請求項６】
請求項５に記載の壁構造において、
前記下部金物は、水平に設けた爪を、前記タイルの平面に水平に設けたスリットに貫入して前記タイルに取り付けることを特徴とする、壁構造。
【発明の詳細な説明】
【技術分野】
【０００１】
本発明は、建築物の外装材であるタイルを壁面に固定するための固定金物及び固定金物を用いた壁構造に関するものである。
【背景技術】
【０００２】
近年、建築物のデザイン化が進み、大型・中型のタイルによって外装仕上げを行うことが多くなっている。
大型・中型のタイルの固定方法として、タイルの裏面に２本の平行の溝を縦方向に形成し、この縦方向の溝を挟み込むように掛止する爪を備えた金具を取り付け、この金具を建築物の躯体壁面に配置したレールに取り付ける方法が行われている。
【０００３】
従来の金具はセンターピースと、その両側に位置する二つのサイドピースと、それらを一体とするボルトと、からなる。
そして、サイドピースに設けた爪をタイルの溝に引っかけた状態でボルトを締め付けることにより、ボルトの締め付け力で溝どうしの間を挟み込んで金具をタイルに固定する。
【先行技術文献】
【特許文献】
【０００４】
【特許文献１】特許第４７０９９４１号明細書
【発明の概要】
【発明が解決しようとする課題】
【０００５】
この従来の金物を用いた工法には、以下のような問題点がある。
（１）金具はボルトの締め付け力によってタイルに固定するが、タイルは気温の変化や日射により膨張・収縮する。特にタイルの色が濃色の場合には、日射による膨張・収縮が大きくなる。この膨張・収縮によって、タイルに対するボルトの締め付け力が低下し、タイルが外れてしまうおそれがある。また、工事等による発生する振動によっても、ボルトの締め付け力が低下し、タイルが外れてしまうおそれがある。
（２）タイルの溝が縦方向のため、ボルトの締め付け力が低下すると、タイルが下方向にずれて脱落するおそれがある。
（３）ボルトの締め付け力によって固定するため、締め付けトルクの管理が必要となる。
（４）金具がセンターピースと二つのサイドピースをボルトで一体とするものであり、部材点数が多くなってしまう。
【０００６】
本発明は、タイルが脱落することなく、確実に固定することができる固定金物及び固定金物を用いた壁構造を提供することを目的とする。
【課題を解決するための手段】
【０００７】
上記目的を達成するためになされた本願の第１発明は、建築物の躯体壁面にタイルを固定するための固定金物であって、前記壁面に設置するレールに回動自在に係合する上部金物と、前記レールに掛合する下部金物と、からなり、前記下部金物は、前記タイルの背面に当接するタイル当接部と、前記タイル当接部の両側辺から立設する一対のレール掛合部と、を有し、前記レール掛合部は、前記レールの断面形状に合わせて切り欠いた掛合溝を有し、前記タイル当接部は、前記レール掛合部とは逆方向に突設し、前記タイルと係合する爪を有することを特徴とする、固定金物を提供する。
本願の第２発明は、第１発明の固定金物において、前記下部金物の前記爪は、相互間が縮小する方向に傾斜して対向するように水平に設けた一対の爪であることを特徴とする、固定金物を提供する。
本願の第３発明は、第１発明又は第２発明の固定金物において、前記上部金物は、前記レールに係合するレール当接部を有し、前記レール当接部は、前記タイルと係合する爪を有することを特徴とする、固定金物を提供する。
本願の第４発明は、第３発明の固定金物において、前記上部金物の前記爪は、相互間が縮小する方向に傾斜して対向するように水平に設けた一対の爪であることを特徴とする、固定金物を提供する。
本願の第５発明は、建物の躯体壁面に平行に設けたレールに固定金物を介してタイルを嵌合し、前記壁面の表面にタイルを固定する、壁構造であって、前記固定金物は、前記タイルの上部背面に取り付ける上部金物と、前記タイルの下部背面に取り付ける下部金物と、からなり、前記上部金物は、水平に設けた爪を、前記タイルの背面に水平に設けたスリットに貫入して前記タイルに固定し、前記上部金物は、前記レールに回動自在に係合し、前記下部金物は、前記レールに掛合することを特徴とする、壁構造を提供する。
本願の第６発明は、第５発明の壁構造において、前記下部金物は、水平に設けた爪を、前記タイルの平面に水平に設けたスリットに挿入して前記タイルに取り付けることを特徴とする、壁構造を提供する。
【発明の効果】
【０００８】
本発明は、上記した課題を解決するための手段により、次のような効果の少なくとも一つを得ることができる。
（１）本発明の固定金物は、ボルトによる締め付けを行わないため、ボルトの締め付け力の低下によるタイルの外れは生じない。
（２）タイル裏面に水平に設けたスリットに挿入するため、固定金物に対してタイルがずれても、タイルが下方向に脱落することがない。
（３）ボルトによる締め付けを行わないため、締め付けトルクの管理が不要である。
（４）上部金物と下部金物はそれぞれ独立した一体物であるため、部材点数が少なくてすむ。
【図面の簡単な説明】
【０００９】
【図１】固定金物を用いたタイルを取り付けた壁構造の説明図
【図２】固定金物の斜視図
【図３】固定金物をタイルに取り付けた状態の説明図
【発明を実施するための形態】
【００１０】
以下、図面を参照しながら本発明の実施の形態について説明する。
【実施例】
【００１１】
＜１＞固定金物の構成。
本発明の固定金物はタイルＴの背面に取り付ける上部金物１と下部金物２とからなり、躯体壁面Ｗに設置したレール３に係合することで、タイルＴを躯体壁面Ｗに沿って配置するものである（図１）。
固定金物はタイルＴの上部背面に取り付ける上部金物１と、下部背面に取り付ける下部金物２と、からなる。
レール３は、躯体壁面Ｗにアンカーボルト３１によって固定したアングル３２の水平面の上面に固定ボルト３３によって固定する。
【００１２】
＜２＞上部金物。
上部金物１は、１枚の鋼板を切断・折曲して形成したものである。
上部金物１は、レール３に当接する平面状のレール当接部１１と、レール当接部１１の両側辺をレール３と直交する方向に折曲した側壁１２と、を有する。
また、上部金物１は、レール当接部１１の下端と中央付近とをレール３と直交する方向に水平に折曲した垂直部１１１と、垂直部１１１の先端を対向する垂直部１１１から離れる方向にタイルＴと平行に折曲した当接部１１２と、当接部１１２の先端を対向する当接部１１２側にＶ形に折り曲げられて傾斜する爪１１３と、を有する。爪１１３は、相互間が縮小する方向に傾斜して対向する。
上部金物１は、レール当接部１１の中央上部に取付孔１３を設け、レール当接部１１がレール３に接した状態で取付孔１３に挿通したリベット１４により回動自在にレール３に取り付ける。リベット１４に限らず、ビスやボルト等により上部金物１をレール３に取り付けてもよい。
【００１３】
＜３＞下部金物。
下部金物２は、上部金物１と同様、１枚の鋼板を切断・切曲して構成したものである。
下部金物２は、タイルＴの背面に平行なタイル当接部２１と、タイル当接部２１の両側辺から立設する一対のレール掛合部２２と、を有する。
レール掛合部２２にはレール３の断面形状に合わせて切り欠いた掛合溝２３を形成し、下部金物２はレール３に掛止する。
また、下部金物２は、タイル当接部２１の上端と下部付近とをＶ形に折り曲げて傾斜する爪２１１を有する。爪２１１は、相互間が縮小する方向に傾斜して対向する。
【００１４】
＜４＞固定金物の取り付け。
タイルＴの裏面にはスリット４を形成する。スリット４は、両側辺から水平に、２本一組として少なくともタイルＴの両側辺の上部と下部に設ける（図３）。
２本一組のスリット４は、タイルＴの裏面から相互間が縮小する方向に傾斜して形成する。スリット４の傾斜や間隔は、上部金物１の爪１１３および下部金物２の爪２１１の傾斜や間隔と略同一とする。
そして、上部金物１と下部金物２を、タイルＴの側辺からそれぞれの爪１１３、２１１をスリット４に挿入して摺動することによりタイルＴに取り付ける。
上部金物１、下部金物２のいずれも、スリット４に爪１１３、２１１を挿入して摺動して取り付けるものであり、ボルトによる締め付けを行わないため、ボルトの締め付け力の低下によるずれが生じることがない。また、ボルトの締め付けトルクの管理は不要である。
タイルＴの裏面に水平に設けたスリット４に挿入するため、固定金物に対してタイルＴがずれても、タイルＴが下方向に脱落することがない。
【００１５】
＜５＞壁構造。
上部金物１と下部金物２の固定金物を裏面に取り付けたタイルＴを、躯体壁面Ｗに設置したレール３に係合することで、タイルＴを躯体壁面Ｗに沿って配置する。タイルＴは複数枚を上下および左右方向に並べて配置するため、上側のタイルＴの下部金物２と、下側のタイルＴの上部金物１とを、同じレール３に係合する（図１）
【００１６】
＜６＞下部金物によるタイルの支持。
タイルＴの重量は、スリット４に挿入した下部金物２の爪２１１からタイル当接部２１、レール掛合部２２及び掛合溝２３を経由してレール３に伝達する。
レール３によりタイルＴの重量を受けるため、上部金物１やリベット１４にタイルＴの重量が作用せず、上部金物１やリベット１４の径を小さくすることができる。
【００１７】
＜７＞タイルの面内方向変位。
タイルＴの上部に取り付けた上部金物１は、リベット１４によりレール３に回動自在に取り付けられている。
そして、タイルＴの下部に取り付けた下部金物２は、掛合溝２３をレール３に掛止しているため、面内方向は下方を除き自在に移動できる。
このため、地震時などの層間変形に追従することができる。
【００１８】
＜８＞部材。
上部金物１と下部金物２はそれぞれ独立した一体物であるため、部材点数が少なくてすむ。
【符号の説明】
【００１９】
１      上部金物
１１    レール当接部
１１１  垂直部
１１２  当接部
１１３  爪
１２    側壁
１３    取付孔
１４    リベット
２      下部金物
２１    タイル当接部
２１１  爪
２２    レール掛合部
２３    掛合溝
３      レール
３１    アンカーボルト
３２    アングル
３３    固定ボルト
４      スリット
Ｔ      タイル
Ｗ      躯体壁面
【図１】
2019143348.tif 000003
【図２】
2019143348.tif 000004
【図３】
2019143348.tif 000005